(57)【特許請求の範囲】
【請求項１】
矩形板状に形成されたカード基板に、アンテナコイルを形成するとともに、該アンテナコイルの両端部に接続されて非接触式として機能するＩＣモジュールを内蔵する小型電子カード部を小型カード領域において切り出し可能に区画形成したＩＣカードであって、前記小型電子カード部は、その小型カード領域の周縁辺に沿って貫通した切り抜き孔が形成されるとともに、その切り抜き孔の途中の周縁辺に該小型カード領域をカード基板から切り離し可能な小さい切り代部が設けられ、前記切り代部には、前記アンテナコイルの両端部を前記ＩＣモジュールに接続するための配線が設けられ、かつ前記配線の途中の前記小型カード領域の裏面側には、携帯電子機器に設けたアンテナコイル、あるいは前記小型電子カード部が装着されるカードアダプタに設けたアンテナコイルに接続される外部接続端子が形成されていることを特徴とするＩＣカード。
【発明の詳細な説明】
【０００１】
【発明の属する技術分野】
本発明は、ＩＣカードに関し、より詳細には、そのままで非接触式ＩＣカードとして使用できるとともに、携帯型電子機器に設けたアンテナコイルに装着可能な小型電子カードを切り出すことができ、さらには、その携帯型電子機器から外した小型電子カードをアンテナコイルが設けられたカードアダプタに装着して再び非接触式ＩＣカードとして使用可能になるＩＣカードに関するものである。
【０００２】
【従来の技術】
従来、カード基板中に集積回路を内蔵したＩＣカードは、一般的に使用されているクレジットカードと同様に規格化された縦５４ｍｍ、横８６ｍｍの形状寸法に形成され、カードリーダ／ライタによりデータの読み書きできるようになっている。また、近年では、誘導電磁界を伝送媒体としてデータの読み書きができる非接触式ＩＣカードが開発され、例えば、入退出用のゲートにカードリーダ／ライタを設け、非接触式ＩＣカードをかざすだけでゲートを開閉するシステム等も検討されている。一方、携帯電話機等の携帯型電子機器は、ますます軽量小型化するとともに、音声通信だけでなくデータの送受信ができるようになり、多くの人が所持し大幅に普及している。このような携帯電話機等にＩＣカードを装着する場合には、例えば、縦２０ｍｍ、横２５ｍｍ程度の形状寸法に形成された小型電子カード（マイクロカード）を使用すること等も検討されている。
【０００３】
【発明が解決しようとする課題】
小型電子カード（マイクロカード）は、それ自体にアンテナ等を有していないため単独で用いることができず、また、数十ｍｍの小型の形状寸法に形成されているため、紛失したり取り扱いが不便である。このため、携帯電話機に装着する前にも非接触式で定型のＩＣカードとして使用でき、しかも携帯電話機に容易に装着できる小型電子カードの出現が望まれている。また、この種の小型電子カードを一旦携帯電話機等の携帯電子機器から取り外したときには、単独で非接触式ＩＣカードとして使用できないため、携帯電子機器が破損したとき等に機器内に装着した小型電子カードが利用不能となり、カード内に保存された多数の重要情報が容易に利用することができなくなるおそれがあった。さらに、小型電子カードは、製造工程を簡略化して安価に製造できることが望まれている。
【０００４】
本発明は上記事情に鑑みなされたもので、そのままで非接触式ＩＣカードとして使用できるとともに、携帯型電子機器に設けたアンテナコイルに装着可能な小型電子カードを簡単に切り出すことができ、かつ安価に製造できるＩＣカードを提供すること目的とする。
【０００５】
また、本発明の他の目的は、携帯型電子機器から外した小型電子カードをアンテナコイルが設けられたカードアダプタに装着して再び非接触式ＩＣカードとして使用可能になるＩＣカードを提供することである。
【０００６】
【課題を解決するための手段】
上記目的を達成するために請求項１記載の発明にあっては、矩形板状に形成されたカード基板に、アンテナコイルを形成するとともに、該アンテナコイルの両端部に接続されて非接触式として機能するＩＣモジュールを内蔵する小型電子カード部を小型カード領域において切り出し可能に区画形成したＩＣカードであって、前記小型電子カード部は、その小型カード領域の周縁辺に沿って貫通した切り抜き孔が形成されるとともに、その切り抜き孔の途中の周縁辺に該小型カード領域をカード基板から切り離し可能な小さい切り代部が設けられ、前記切り代部には、前記アンテナコイルの両端部を前記ＩＣモジュールに接続するための配線が設けられ、かつ前記配線の途中の前記小型カード領域の裏面側には、携帯電子機器に設けたアンテナコイル、あるいは前記小型電子カード部が装着されるカードアダプタに設けたアンテナコイルに接続される外部接続端子が形成されていることを特徴とするものである。カード基板には、アンテナコイルが非接触式として機能するＩＣモジュールに接続される小型電子カード部が設けられていることで、そのまま非接触式で定型のＩＣカードとして使用でき、かつ小型電子カード部を小型カード領域において切り出してアンテナコイルを設けた携帯型電子機器に容易に装着できる。また、小型電子カード部の周縁辺に沿って切り抜き孔が形成され、その切り抜き孔の途中に小さい切り代部が設けられていることで、携帯電子機器に装着する小型電子カード部を簡単に切り出すことができる。さらに、小型カード領域の周縁辺に貫通した切り抜き孔が形成されていてもアンテナコイルを切り代部を通して配線してＩＣモジュールに接続しているので、ＩＣカードとして用いることができる。小型カード領域の裏面側に外部接続端子が形成されていることで携帯電子機器のアンテナコイルあるいは小型電子カード部が装着されるカードアダプタに設けたアンテナコイルに接続することで非接触式ＩＣカードとして使用することができる。
【００１３】
【発明の実施の形態】
以下、本発明を図示の一実施形態により具体的に説明する。図１及び図２は本発明第１実施形態のＩＣカードを説明する図であり、図１はＩＣカードの斜視図、図２はＩＣカードの小型電子カード部の平面図である。
【００１４】
これらの図において、本実施形態のＩＣカード１０は、アンテナコイル１３が形成された定型のＩＣカード形状のカード基板１１に、そのアンテナコイル１３の両端部に接続されて非接触式として機能するＩＣモジュール１４を内蔵した小型電子カード部１２が切り出し可能に区画形成され、そのまま単独で非接触式の定型のＩＣカードとして使用でき、かつ切り出した小型電子カード部１２は、アンテナコイルを設けた携帯電話機等の携帯電子機器あるいは後に詳細に説明するカードアダプタ２０に装着して使用可能なものである。
【００１５】
カード基板１１は、例えば、クレジットカード等と同様の規格化された大きさで縦５４ｍｍ、横８６ｍｍの寸法形状の矩形板状に形成された硬質塩化ビニール等のプラスチック板材から構成される絶縁基板であり、その表面の周縁部側には誘導電磁界を伝送媒体としてデータ送受信するに適したループ状のアンテナコイル１３がエッチング等により形成され、かつそのアンテナコイル１３が形成された周縁部側の領域を除く所定の表面には、例えば、縦２０ｍｍ、横２５ｍｍ程度の寸法形状で一つの角部に切欠き１８を有する小型電子カード部１２の小型カード領域１２ａがカード基板１１から切り出し可能に区画形成されている。この小型カード領域１２ａには、非接触式として機能するＩＣモジュール１４が内蔵され、かつその周縁辺に沿って貫通した切り抜き孔１５が形成されるとともに、その切り抜き孔１５の途中の周縁辺に小型カード領域１２ａをカード基板１１から切り離し可能な小さい切り代部１６が複数個所設けられている。これらの切り代部１６は、切り抜き孔１５を横切ってカード基板１１側から小型カード領域１２ａ側へ向かう程小さくなるテーパ状に形成され、例えば、小型カード領域１２ａの横方向の周縁辺には２箇所ずつ、縦方向の周縁辺には１箇所ずつ設けられている。切り代部１６がテーパ状に形成されているのは、小型電子カード部１２をカード基板１１から切り出したときに、その切り代部１６が小型カード領域１２ａの周縁辺から離れてカード基板１１側に残されるようにするためである。
また、アンテナコイル１３の両端部側は、カード基板１１の周縁部側から横方向の２箇所の切り代部１６を通って配線されて小型カード領域１２ａのＩＣモジュール１４に接続され、かつ途中の小型カード領域１２ａの裏面側には、携帯電子機器に設けたアンテナコイル、あるいは後に詳細に説明するカードアダプタ２０に形成したアンテナコイル２２に接続するための外部接続端子１７が形成されている。
本発明のＩＣカードは、小型電子カードの製造をそのまま用いることができる。
つまり、従来から小型電子カード部のみを製造する際に、定型のＩＣカードサイズの絶縁基板に、金属端子付ＩＣチップを搭載し、そのＩＣチップの端子に接続する配線を蒸着し、その後ＩＣチップを含む部分をプラグインカッターを用いてカード基板から切り離し可能としていた。本発明は、この初期の小型電子カードの製造をそのまま用い、アンテナとの接続部分を切りしろとして残したままにして、小型電気カードを切り取り前は、通常のＩＣカードとして使用できるようにしたもので、従来の小型電子カードの製造工程をそのまま用いて製造でき、製造コストを抑えることができる。
【００１６】
図３は本発明第１実施形態の小型電子カードを装着するカードアダプタを説明する斜視図である。
【００１７】
同図において、カードアダプタ２０は、第１実施形態のカード基板１１と同様の材料の矩形板状の絶縁性の基板２１であり、第１の基板２１ａと、第２の基板２１ｂとを有し、第１の基板２１ａは、表面に第１実施形態と同様のループ状のアンテナコイル２２が形成され、そのアンテナコイル２２の両端部にアンテナ端子２４が設けられ、第２の基板２１ｂは、表面に小型電子カード部１２がぴったりと嵌めこむことができる縦２０ｍｍ、横２５ｍｍ程度の寸法と厚さで一つの角部に切欠き２３ａを有する取付け溝２３のための孔が形成され、それぞれを互いに貼り合わせることで形成される。そして、アンテナ端子２４は、取付け溝２３内に臨まされ、小型電子カード部１２を取付け溝２３に嵌めこんだときに外部接続端子１７に接続されるようになっている。
【００１８】
上記構成のＩＣカード１０では、カード基板１１に形成されたアンテナコイル１３の両端部が、切り代部１６を通って配線されて小型カード領域１２ａに設けられたＩＣモジュール１４に接続されているため、そのままで非接触式ＩＣカードとして使用することができる。このＩＣカード１０は、カード基板１１がクレジットカードと同じ規格化された形状寸法に形成されていることで、従来のカードと同様にカード販売機等による取り扱いが可能になり、かつ、ＩＣモジュール部のみのように小型でなくなるので、紛失の心配もなくなる。また、小型カード領域１２ａを指で押し出し、切り代部１６において切り離してカード基板１１から切り出した小型電子カード部１２は、アンテナコイルを設けた携帯電話機等の携帯型電子機器に装着して非接触式ＩＣカードとして使用することができ、携帯型電子機器との間でデータ送受信を可能にし、その携帯型電子機器に備える表示器等で表示させることができる。切り代部１６は、テーパ状に形成されており、小型電子カード部１２をカード基板１１から切り出したときに、その切り代部１６が小型カード領域１２ａの周縁辺に残されないため、携帯型電子機器への装着に支障を生じない。また、カードアダプタ２０の取付け溝２３に、小型電子カード部１２を切欠き２３ａ，１８を合わせて嵌め込むことで、アンテナコイル２３の両端部のアンテナ端子２４に小型電子カード部１２の外部接続端子１７が接続され、再び非接触式ＩＣカードとして使用することができる。このカードアダプタ２０では、携帯型電子機器から外した小型電子カード部１２を取付け溝２３に装着することで非接触式ＩＣカードとして使用できるため、携帯電子機器が破損したとき等にカード内に保存された多数の重要情報を容易に利用することがきるようになる。
【００１９】
図４は本発明第２実施形態のＩＣカードの斜視図である。なお、第１実施形態のＩＣカードに対応する部分及び部材は同一の符号を記す。
【００２０】
この実施形態のＩＣカード１０′は、第１実施形態と同様に形成されたＩＣカードに対し、さらに小型カード領域１２ａの横方向の周縁辺に沿った延長線上のカード基板１１上に、切り出し用溝状の切り込み線１９が形成されている。その他の構成は、第１実施形態と同様である。
【００２１】
上記構成のＩＣカード１０′では、第１実施形態と同様にそのまま非接触式ＩＣカードとして使用でき、また、カード基板１１から切り出した小型電子カード部１２は、アンテナコイルを設けた携帯電話機等の携帯型電子機器、あるいはカードアダプタ２０に装着して非接触式ＩＣカードとして使用することができ、かつ従来の製造工程等を利用して安価に製造できる。このＩＣカード１０′は、特に、小型カード領域１２ａの横方向の周縁辺に沿った延長線のカード基板１１上に、切り出し用溝状の切り込み線１９が形成されているため、小型電子カード部１２を切り出すときに、切り込み線１９に沿って折り曲げ、切り代部１６においてカード基板１１を切り離すことが容易になる。なお、小型カード領域１２ａの縦方向の周縁辺に沿った延長線のカード基板１１に切り込み線がさらに設けられていても同様に切り離すことが容易になる。
【００２２】
図５は本発明第３実施形態のＩＣカードの斜視図である。
【００２３】
この実施形態のＩＣカード３０は、第１実施形態と同様の材料及び形状寸法の絶縁基板でアンテナコイル３３を形成したカード基板３１に、非接触式として機能するＩＣモジュール３４を内蔵した小型電子カード部３２で一つの角部に切欠き３７を有する小型カード領域３２ａがカード基板１１から切り出し可能に区画形成され、かつカード基板３１の表面には同じ矩形状に形成された薄いフィルム３９が貼付されている。そして、小型カード領域３２ａの周縁辺及びその横方向と縦方向の延長線に沿ったカード基板３１上に切り出し用溝状の切込み線３５が形成されている。また、アンテナコイル３３の両端部側は、カード基板３１の周縁部側から切込み線３５を横切って配線されて小型カード領域３２ａのＩＣモジュール３４に接続され、かつ途中の小型カード領域３２ａの裏面側には、携帯電子機器に設けたアンテナコイル、あるいは上記カードアダプタ２０に形成したアンテナコイル２２に接続するための外部接続端子３６が形成されている。
【００２４】
上記構成のＩＣカード３０は、第１実施形態と同様に、そのまま非接触式ＩＣカードとして使用でき、またフィルム３９を剥がしてカード基板１１から切り出した小型電子カード部３２は、アンテナコイルを設けた携帯電話機等の携帯型電子機器、あるいはカードアダプタ２０に装着して非接触式ＩＣカードとして使用することができ、かつ従来の製造工程等を利用して安価に製造できる。このＩＣカード３０は、特に、小型カード領域３２ａの周縁辺及びその横方向と縦方向の延長線に沿ったカード基板３１上に切り出し用溝状の切り込み線３５が形成されているため、切り込み線３５に沿って折り曲げてカード基板３１から小型電子カード部３２を切り離すことが容易になる。また、本実施形態では、カード基板３１の表面側にフィルム３９が貼付され切込み線３５等が覆われているため、非接触式ＩＣカードとして使用中に切込み線３５から不用意に折り曲がったりすることなく、また表面が平坦になりカード販売機等による取り扱いも容易になる。
【００２５】
図６及び図７は本発明第４実施形態のＩＣカードを説明する図であり、図６はＩＣカードの斜視図、図７はＩＣカードの小型電子カード部の平面図である。
【００２６】
この実施形態のＩＣカード４０は、第１実施形態と同様の材料及び形状寸法の絶縁基板にアンテナコイル４３を形成したカード基板４１に、非接触式として機能するＩＣモジュール４４を内蔵した小型電子カード部４２で一つの角部に切欠き４８を有する小型カード領域４２ａがカード基板４１から切り出し可能に区画形成され、かつカード基板４１の表面及び裏面には同じ矩形状に形成された薄いフィルム５０，５１が貼付されている。そして、小型カード領域４２ａの周縁辺には第１実施形態と同様の切り抜き孔４５が形成されるとともに、その切り抜き孔４５に対応する横方向の周縁辺内の１つに小型カード領域４２ａをカード基板４１から切り離し可能な小さい切り代部４６が２個所設けられている。また、アンテナコイル４３の両端部側は、カード基板４１の周縁部側から切り代部４６を通って配線されて小型カード領域４２ａのＩＣモジュール４４に接続され、かつ途中の小型カード領域４２ａの裏面側には、携帯電子機器に設けたアンテナコイル、あるいは上記カードアダプタ２１に形成したアンテナコイル２２に接続するための外部接続端子４７が形成されている。
【００２７】
上記構成のＩＣカード４０は、第１実施形態と同様に、そのまま非接触式ＩＣカードとして使用でき、またフィルム５０，５１を剥がしてカード基板４１から切り出した小型電子カード部４２は、アンテナコイルを設けた携帯電話機等の携帯型電子機器、あるいはカードアダプタ２０に装着して非接触式ＩＣカードとして使用することができ、かつ従来の製造工程等を利用して安価に製造できる。このＩＣカード４０は、特に、横方向の周縁辺の１つに小さい切り代部４６が２個所設けられているため、フィルム５０，５１を剥がしたとき、小型カード領域４２ａを表面側あるいは裏面側から押すことで小型電子カード部４２をカード基板４１から切り離すことがさらに容易になる。また、本実施形態では、カード基板４１の表面側及び裏面側にフィルム５０，５１が貼付され、切り抜き孔４５が覆われているため、非接触式ＩＣカードとして使用中に小型カード領域４２ａが不用意に折り曲がったりすることなく、また表面が平坦になりカード販売機による取り扱いも容易になる。
【００２８】
なお、上記各実施形態において、カード基板１１，３１，４１をクレジットカードと同様の規格化された形状寸法に形成することで取り扱いを容易にできるが、少なくとも小型電子カード部１２，３２，４２が切り出し可能に区画形成されていればよく、他の寸法の矩形板状に形成されていてもよい。また、切り抜き孔１５，４５及び切り代部１６，４６の形状や個数あるいは切り込み線１９，３５の形状や数も任意にでき実施形態に限定されない。さらに、第３及び第４実施例のフィルム３０，５０，５１に限らず、表面側あるいは裏面側にフィルムを貼付してもよい。さらにまた、切欠き１８，３７，４８は、カードアダプタ２０等に装着するときの方向を決めるためであり、関連して設けられる外部接続端子１７，３６，４７も裏面あるいは表面に設けることができる。
【００２９】
【発明の効果】
以上説明したように本発明のＩＣカードは、矩形板状に形成されたカード基板に、アンテナコイルを形成するとともに、このアンテナコイルの両端部に接続されて非接触式として機能するＩＣモジュールを内蔵する小型電子カード部を小型カード領域において切り出し可能に区画形成したことで、小型電子カードを切り出し前に、定型のＩＣカードとして使用でき、その際、従来の小型電子カードの製造工程をそのまま用いるので、製造コストは抑えることができ、かつ小型電子カード部は小型カード領域において切り出してアンテナコイルを設けた携帯型電子機器に容易に装着することができる。
【００３０】
また、カード基板から切り出した小型電子カード部は、アンテナコイルを形成するとともに、小型電子カード部が嵌めこまれる取付け溝を形成し、この取付け溝内にアンテナコイルの両端部に設けられるアンテナ端子が臨まされたカードアダプタに装着され、アンテナ端子と小型カード領域上の外部接続端子とが接続されることで、携帯型電子機器から外した小型電子カードを再び非接触式ＩＣカードとして使用可能になる。
【図面の簡単な説明】
【図１】本発明第1実施形態のＩＣカードの斜視図である。
【図２】本発明第1実施形態のＩＣカードの小型電子カード部の平面図である。
【図３】本発明第１実施形態の小型電子カードを装着するカードアダプタを説明する斜視図である。
【図４】本発明第２実施形態のＩＣカードの斜視図である。
【図５】本発明第３実施形態のＩＣカードの斜視図である。
【図６】本発明第４実施形態のＩＣカードの斜視図である。
【図７】本発明第４実施形態のＩＣカードの小型電子カード部の平面図である。
【符号の説明】
１０  ＩＣカード
１０′  ＩＣカード
１１  カード基板
１２  小型電子カード部
１２ａ  小型カード領域
１３  アンテナコイル
１４  ＩＣモジュール
１５  切り抜き孔
１６  切り代部
１７  外部接続端子
１８  切欠き
１９  切り込み線
２０  カードアダプタ
２１  基板
２１ａ  第１の基板
２１ｂ  第２の基板
２２  アンテナコイル
２３  取付け溝
２３ａ  切欠き
２４  アンテナ端子
３０  ＩＣカード３０
３１  カード基板
３２  小型電子カード部
３２ａ  小型カード領域
３３  アンテナコイル
３４  ＩＣモジュール
３５  切込み線
３６  外部接続端子
３７  切欠き
３９  フィルム
４０  ＩＣカード
４１  カード基板
４２  小型電子カード部
４２ａ  小型カード領域
４３  アンテナコイル
４４  ＩＣモジュール
４５  切り抜き孔
４６  切り代部
４７  外部接続端子
４８  切欠き
５０，５１  フィルム
【図１】
0003807719.tif 000002
【図２】
0003807719.tif 000003
【図３】
0003807719.tif 000004
【図４】
0003807719.tif 000005
【図５】
0003807719.tif 000006
【図６】
0003807719.tif 000007
【図７】
0003807719.tif 000008